(57)【特許請求の範囲】
【請求項１】
枡状の背面端子盤と、前記背面端子盤の外部に設置され、前記背面端子盤の内側にカードスロットを配置するカード装着部とを備え、前記カードスロットにケーブルカードのコネクタが装着された状態で、前記ケーブルカードの本体部が前記背面端子盤の内部で前記背面端子盤の底面と平行に配置されることを特徴とするケーブルカード装着装置。
【請求項２】
請求項１に記載のケーブルカード装着装置において、
前記背面端子盤が、フラットパネルディスプレイ装置に配置される背面端子盤であることを特徴とするケーブルカード装着装置。
【請求項３】
請求項１に記載のケーブルカード装着装置において、
前記ケーブルカードが前記背面端子盤に平行して挿入され、かつ、前記ケーブルカードが前記背面端子盤の底面との間に所定距離以上離れた構造を備えていることを特徴とするケーブルカード装着装置。
【請求項４】
請求項３に記載のケーブルカード装着装置において、
前記所定距離が５〜２０ｍｍであることを特徴とするケーブルカード装着装置。
【請求項５】
請求項１に記載のケーブルカード装着装置において、
前記背面端子盤の底面に、前記ケーブルカードを保持するための保持構造を備えていることを特徴とするケーブルカード装着装置。
【請求項６】
請求項５に記載のケーブルカード装着装置において、
前記保持構造内に前記ケーブルカードの接地端子部を接地する電気的な接触構造を備えていることを特徴とするケーブルカード装着装置。
【請求項７】
請求項５に記載のケーブルカード装着装置において、
前記保持機構のカード接触部に空間部を設け、前記空間部では前記ケーブルカードと前記保持構造とが非接触であることを特徴とするケーブルカード装着装置。
【請求項８】
請求項５に記載のケーブルカード装着装置において、
前記保持構造の材料として金属を使用することを特徴とするケーブルカード装着装置。
【請求項９】
請求項１に記載のケーブルカード装着装置において、
前記ケーブルカードの周囲を通気性のカバーで覆う構造を備えていることを特徴とするケーブルカード装着装置。
【請求項１０】
テレビジョン受信機において、
テレビジョン信号が入力されるＴＶ入力端子と、
該テレビジョン受信機の背面に設けられた、カードスロットを有するカード装着部と、を備え、
前記カードスロットには、前記ＴＶ入力端子から入力されたテレビジョン信号を処理するための信号処理カードのコネクタが装着され、
前記信号処理カードのコネクタが前記カードスロットに装着された状態で、前記テレビジョン受信機の背面と前記信号処理カードとの間に空間を形成し、
前記テレビジョン受信機の背面には、枡状の端子盤が設けられており、該端子盤の底面に前記ＴＶ入力端子が設けられ、かつ前記端子盤の側面に前記カードスロットの開口が設けられており、前記信号処理カードのコネクタが前記カードスロットに装着された状態で、前記信号処理カードの本体が前記端子盤の底面と平行に配置されることを特徴とするテレビジョン受信機。
【請求項１１】
請求項１０に記載のテレビジョン受信機において、前記端子盤の底面が複数の通気孔を有することを特徴とするテレビジョン受信機。
【請求項１２】
請求項１０に記載のテレビジョン受信機において、前記端子盤の底面が網状に形成されることを特徴とするテレビジョン受信機。
【請求項１３】
テレビジョン受信機において、
前記テレビジョン受信機の背面に設けられ、テレビジョン信号が入力されるＴＶ入力端子が配置された枡状の端子盤と、
前記端子盤の側面に設けられ、前記ＴＶ入力端子から入力されたテレビジョン信号を処理するための信号処理カードのコネクタが挿入されるカードスロットと、を備え、
前記端子盤の底面が、複数の通気孔もしくは網状に形成され、
前記信号処理カードのコネクタが前記カードスロットに装着された状態で、前記端子盤の底面が前記信号処理カードと平行に配置されることを特徴とするテレビジョン受信機。
【請求項１４】
請求項１３に記載のテレビジョン受信機において、前記信号処理カードのコネクタが前記カードスロットに装着された状態で、前記端子盤の底面と前記信号処理カードとの間に空間が形成されることを特徴とするテレビジョン受信機。
【請求項１５】
請求項１３に記載のテレビジョン受信機において、前記信号処理カードのコネクタが前記カードスロットに装着された状態で、前記端子盤の底面と前記信号処理カード本体とが密着されることを特徴とするテレビジョン受信機。
【発明の詳細な説明】
【技術分野】
【０００１】
本発明は、ケーブルカード装着装置及びテレビジョン受信機に関し、特に、フラットパネルディスプレイ装置に設けられるケーブルカード装着装置及びカード装着装置を備えたテレビジョン受信機に関する。
【背景技術】
【０００２】
近年、ＣＡＴＶ放送のデジタル化が普及し、映像および音声信号をＭＰＥＧ（Motion  Picture  Experts  Group）等のデジタル符号化方式で圧縮し、生成したデジタルストリームをデジタル変調方式で送信する技術が採用されている。また有料放送を行うために、送信局側でデジタルストリームにスクランブル、すなわち暗号化処理を施し、受信装置側でデスクランブル処理、すなわち復号化処理を行って暗号を解くことによって契約者のみが有料放送を視聴可能なシステムが構成されている。このスクランブルおよびデスクランブル方法は条件付きアクセス、ＣＡ（Conditional  Access：条件付アクセス）と呼ばれる。
【０００３】
ＣＡの方式はＣＡＴＶ放送事業者が個別に決定することが可能であるため、各放送事業者の送信する放送を受信するには、一般的には、対応したＣＡを内蔵した受信装置でないと受信することはできず、ＣＡＴＶ放送事業者を変更する場合は、受信装置も対応したＣＡ内蔵のものに変更する必要があった。
【０００４】
このような状況に対して、ＣＡを受信装置内蔵とせず、取り替え可能な外部の処理モジュールとして構成する技術が開発されており、例えばケーブルカードに関する規格に従う処理モジュールの場合には、処理モジュールの取り替えで各ＣＡＴＶ事業者の放送に対応可能である。この規格では、ＣＡはケーブルカード（CABLE  CARD）と呼ばれる処理モジュールに内蔵されており、対応したケーブルカードに取り替えることで、受信装置自体は変更することなく、各ＣＡＴＶ事業者の放送を受信することができる。
【０００５】
ケーブルカードを使用する前記規格においては、実際に視聴するデジタルストリームを送信局から送信するチャンネルはＦＡＴ（Forward  Applications  Transport）と呼ばれ、変調方式としてＱＡＭ(Quadrature  Amplitude  Modulation）が使用されている。さらにＦＡＴチャンネルに加えて、ＯＯＢ（Out  Of  Band）と呼ばれる周波数の異なるサブチャンネルで付加情報を伝送している。ＯＯＢはＦＤＣ（Forward  Data  Channel）と呼ばれる下りチャンネルと、ＲＤＣ（Return  Data  Channel）と呼ばれる上りチャンネルで構成される。
【０００６】
ＦＤＣは送信局からＦＡＴチャンネルに関するチャンネルマップ、暗号化情報等の付加情報を送信する。ＲＤＣは受信装置から送信局へ受信装置情報等を送信するが、必ずしも使用する必要はない。ＦＤＣの変調方式にはＱＰＳＫ（Quadrature  Phase  Shift  Keying）が用いられ、ＦＡＴを受信するＱＡＭ受信回路と独立してＦＤＣのＱＰＳＫ受信回路が必要である。
【０００７】
図７に、ＦＡＴおよびＦＤＣを受信し、外部の処理モジュールでＣＡデスクランブル処理を行う受信装置の従来例を示す。１は受信装置であり、２が処理モジュール（ケーブルカード）である。入力端子１００には、前記ＦＡＴとＦＤＣを含む高周波変調信号が入力され、ＦＡＴ選局回路１１とＦＤＣ選局回路１３に供給される。ＦＡＴ選局回路１１はＦＡＴチャンネル周波数に応じ選局を行い、選局された変調信号をＦＡＴ復調回路１２で復調することでデジタルストリームが出力される。送信局でＦＡＴチャンネルにＣＡスクランブルが行われている場合は、出力されるデジタルストリームはスクランブルされている。デジタルストリームは受信装置１から外部の処理モジュール２の復号回路２２に供給される。
【０００８】
同様にＦＡＴ選局回路１３はＦＤＣチャンネル周波数に応じ選局を行い、選局された変調信号をＦＤＣ復調回路１２で復調することでＦＤＣデータが出力される。ＦＤＣデータは処理モジュール２内の制御回路２１に供給され、ＣＡデスクランブル等の処理を行うために使用される。
【０００９】
処理モジュール２は、復号回路２２において送信局が使用しているＣＡに応じたデスクランブルすなわち復号処理をＦＡＴチャンネルのデジタルストリームに施し、ＣＡスクランブルされていない処理済デジタルストリームを出力する。このストリームは再び受信装置１に戻され、多重分離回路１６に供給される。処理済デジタルストリームは圧縮された映像信号および音声信号を含んでおり、多重分離回路１６で各信号に分離し、映像伸長回路１７および音声伸長回路１８に供給される。映像伸長回路１７および音声伸長回路１８は各信号を伸長することで視聴可能な映像および音声信号を出力する。もし復号回路２２で復号がなされていない場合には、スクランブルされたストリームのままであるので、映像及び音声を伸長することはできない。以上のようにＣＡスクランブルが行われている場合でも、ケーブルカード（CABLE  CARD）と呼ばれる処理モジュールを取り替えることで、受信装置自体は変更することなく、各ＣＡＴＶ事業者のＦＡＴチャンネルの視聴が可能となる。
【００１０】
上記の処理モジュール（ケーブルカード）を受信装置１に設置する場合には、処理モジュールが動作時の処理モジュール自体からの発熱により、処理モジュールの表面温度が環境温度よりも大きく上昇してしまう場合があり、ケーブルカードが正常に動作するための動作温度については、規格により動作条件が規定されている。規格によれば、環境温度４０℃の場合にケーブルカード表面の特定点の温度が６５℃以下であることが必要となっている。このため、従来は、ケーブルカードを冷却するために小型ファンや放熱板を設置することが行われている。
【００１１】
また、特許文献１には、ＩＣカードの本体ケースに空気導入口と空気排出口を設けて、筐体の冷気でＩＣカードを冷却する例が示されている。
【特許文献１】特開平７−３６５７１号公報
【発明の開示】
【発明が解決しようとする課題】
【００１２】
しかしながら、従来の小型ファンや放熱板を設置する方式では、冷却のための部品点数が増えてコスト高になるとともに、小型ファンの場合にはファンの回転による騒音の発生により、高品質な音響特性が達成できなくなる問題点があった。また、放熱板の場合には、ケーブルカードと放熱板との間の熱的な接触を確保することが困難で、十分な放熱を得るための放熱板の形状が大きくなり装置をコンパクト化することが難しいという問題点があった。
【００１３】
更に、上記の特許文献１の場合には、機器筐体の内部を別途の手段で冷却し、冷却した空気をＩＣカードの空気導入口と空気排出口に通すことが必要であり、構造が複雑となるという問題点があり、また、ＩＣカードが機器筐体の外部に配置されて不安定であると共にＩＣカード本体の外部にアース接続端子が配置されている場合に電気的接続ができないという問題点があった。
【課題を解決するための手段】
【００１４】
上記の各問題点を解決するために、本発明のケーブルカード装着装置は、受信機筐体と、前記受信機筐体の外部に設置され前記受信機筐体の内側にカードスロットを配置するカード装着部とを備え、前記カードスロットにケーブルカードのコネクタが装着された状態で、前記ケーブルカードの本体部が前記受信機筐体の内部で底面と平行に配置されることを特徴とする。
【発明の効果】
【００１５】
本発明によれば、受信機筐体の内側に配置されたケーブルカードの本体の周囲が空冷され、高温の環境温度下において動作条件に適合した温度に維持することが可能となる。
【発明を実施するための最良の形態】
【００１６】
以下、図面を用いて、本発明の実施の形態について説明する。
図１は、本発明が適用されるフラットパネルディスプレイ（ＦＰＤ）の背面部とケーブルカード部分の断面図を示す。図１において、ＦＰＤの背面部１０１には、受信機筐体１０３が配置され、受信機筐体１０３には、例えばＣＡＴＶからのテレビジョン信号を処理するための信号処理カードであるケーブルカード１０２が装着されている。図１の左図は、ケーブルカード１０２の装着部分の断面図を示す。断面図において、ケーブルカード１０２が保持構造１０４により保持されている。
【００１７】
図２は、本発明のケーブルカード装着装置に用いられるケーブルカード１０２を示す斜視図である。図２において、ケーブルカード１０２は、ケーブルカード本体２０１とコネクタ２０２を備えており、ケーブルカード本体２０１の側面には接地端子部２０３、ケーブルカード本体２０１の端面には電池挿入部２０４等が配置されている。
【実施例１】
【００１８】
図３は、本発明のケーブルカード装着装置の実施例１の斜視図を示す。図３において、テレビジョン受信機の背面には、枡状の端子盤１０３が、テレビジョン受信機の筐体と結合されている。端子盤１０３の底面には、ＣＡＴＶからのテレビジョン信号を送信するためのケーブルが接続されるとともに、ＣＡＴＶからのテレビジョン信号が入力されるＴＶ入力端子１１０、ＤＶＤやＶＴＲなどの外部映像機器からの映像／音声信号が入力される外部入力端子１１１、及びパーソナルコンピュータからの信号が入力されるＰＣ入力端子１１２が配置されている。また端子盤１０３の側面には、ケーブルカード１０２が挿入されるためのカード装着部１０５の開口（カードスロットの差込口）が形成されており、これにケーブルカード１０２が挿入される。ケーブルカード１０２がカードスロット１０８に挿入された状態において、ケーブルカード１０２は保持構造１０４により、ケーブルカード１０２の両側面を挟持するように支持される。
【００１９】
本実施例では、カード装着部１０５にケーブルカード１０２が装着された状態では、ケーブルカード１０２の長手寸法の約８０〜９０％が端子盤１０３の内部の空間（端子盤の各面で囲まれた空間）に露出されるように構成される。そして、カード装着部１０５にケーブルカード１０２が挿入された状態では、ケーブルカード１０２は端子盤の底面１０８に平行に配置される。ここで、ケーブルカード１０２の面と端子盤１０３の底面１０８との間には所定距離（５ｍｍ）隙間が設けられ、ケーブルカード本体２０１の周辺に空気（外気）が供給されるため、動作時にケーブルカード１０２の表面部の温度を一定温度以下に維持することができる。すなわち、本実施例の構成によれば、少なくともケーブルカード１０２のカード装着部１０５から露出された部分（ケーブルカード１０２の長手寸法の約８０〜９０％の部分）の両面は、外気に直接的に接触されて空冷されるため、ケーブルカード１０２の温度上昇を抑制できる。
【００２０】
本実施例では、ケーブルカード１０２の面と端子盤１０３の底面１０８との間隔を５ｍｍとしたがこれに限られるものではない。例えば、ケーブルカード１０２の装着容易性を考慮し、２０ｍｍ程度としてもよい。すなわち、本実施例における上記隙間は、５〜２０ｍｍ程度とすることが望ましい。尚、端子盤１０３は金属、例えばアルミで形成されている。
【００２１】
また、図示しないが、端子盤１０３の底面１０８に複数の通気孔を設けてもよく、また網状に形成してもよい。この場合、ケーブルカード１０２の面と端子盤１０３の底面１０８との間に隙間を設けなくてもケーブルカード１０２の底面１０８側の面に空気を供給することが可能となる。従って、端子盤１０３の底面１０８に複数の通気孔、もしくは網状に形成した場合は、ケーブルカード１０２の面と端子盤１０３の底面１０８を密着させてもよい。
【００２２】
図４は、本発明の実施例１の斜視分解図を示す。図４において、受信機筐体１０３の外部に、カード装着部１０５が設けられており、受信機筐体１０３の内側にカードスロット１０６が設けられている。ケーブルカード１０２のコネクタ２０２は、カードスロット１０６に挿入される。ケーブルカード１０２の側面は保持構造１０４により支持される。保持構造１０４には、空間部１０９が設けられ、ケーブルカード１０２の側面と保持構造１０４との接触を極力少なくするようになされている。保持構造１０４には、ケーブルカード１０２の接地端子部２０３を接地する電気的な接触構造１０７が設けられている。なお、保持構造１０４を金属材料で構成することも可能である。
【００２３】
ケーブルカード１０２は、受信機筐体１０３の内部において、ケーブルカード１０２のコネクタ２０２がカードスロット１０６に挿入され、保持構造１０４により支持されて、受信機筐体の底部１０８に平行に配置される。ケーブルカード１０２と受信機筐体の底部１０８の底部との間には所定距離（５ｍｍ）隙間が設けられ、ケーブルカード本体２０１の周辺に空気が供給されるため、動作時にケーブルカード１０２の表面部の温度を一定温度以下に維持することが可能である。
【００２４】
図５は、本発明の実施例１の上面図、及び、各部断面図、各部拡大図を示す。図面の中央は、受信機筐体１０３の内部において、ケーブルカード１０２を装着したケーブルカード装着装置の上面図を示す。図５の右上図Ａは、保持構造１０４の拡大図を示す。保持構造１０４には、空間部１０９が設けられ、ケーブルカード１０２の側面と保持構造１０４との接触を極力少なくするようになされるとともに、電気的な接触構造１０７が設けられ、ケーブルカード１０２の接地端子部２０３を接地する。
【００２５】
図５の右下図Ｂ−Ｂは、中央図のＢ−Ｂ断面図を示している。ケーブルカード１０２は受信機筐体１０３の外部に設けられたカード装着部１０５に装着され、ケーブルカード１０２の本体部が受信機筐体１０３の底部１０８と平行に一定の距離だけ離れて配置され、ケーブルカード１０２の上面、下面及び側面を空冷することができる。
【００２６】
図５の左図Ｄ−Ｄは、中央図のＤ−Ｄ断面図を示している。ケーブルカード１０２が受信機筐体１０３内部に配置されている。また、図５の左上図Ｃは、左図Ｄ−ＤのＣの拡大断面図を示している。ケーブルカード１０２が保持構造１０４に支持される構造が示されている。
【００２７】
図６は、本発明の実施例１の温度測定試験の結果の表を示す。実際の測定結果では、４１．３℃の環境温度で、ケーブルカード表面の特定点の温度が５７．８℃で、ケーブルカードの裏面の温度が６１．９℃となった。規格に対応する環境温度４０℃に換算した場合には、ケーブルカード表面の特定点の温度が５６．５℃となった。
規格では、環境温度４０℃の場合にケーブルカード表面の特定点の温度が６５℃以下であることが必要であるが、本発明のケーブルカード装着装置では、この規格の条件を十分にパスすることを確認することができた。
以上のように、本発明の実施例１では、ケーブルカードを冷却するための小型ファンや放熱板を設置することなく、規格に適合する冷却条件を達成することが可能である。
【図面の簡単な説明】
【００２８】
【図１】本発明が適用されるフラットパネルディスプレイ（ＦＰＤ）装置の背面部とケーブルカード部分の断面図を示す図である。
【図２】本発明のケーブルカード装着装置に用いられるケーブルカードの例を示す斜視図である。
【図３】本発明のケーブルカード装着装置の実施例１を示す斜視図である。
【図４】本発明の実施例１を示す斜視分解図である。
【図５】本発明の実施例１の上面図、及び、各部断面図、各部拡大図を示す図である。
【図６】本発明の実施例１の温度測定試験の結果を示す表である。
【図７】従来例のＦＡＴおよびＦＤＣを受信し外部の処理モジュールでＣＡデスクランブル処理を行う受信装置を示す図である。
【符号の説明】
【００２９】
１    受信装置
２    処理モジュール（ケーブルカード）
１０    入力端子
１１    ＦＡＴ選局回路
１２    ＦＡＴ復調回路
１３    ＦＤＣ選局回路
１６    多重分離回路
１７    映像伸長回路
１８    音声伸長回路
２１    制御回路
１０１    ＦＰＤの背面部
１０２    ケーブルカード
１０３    受信機筐体
１０４    保持機構
１０５    カード装着部
１０６    カードスロット
１０７    電気的な接触構造
１０８    受信機筐体の底部
１０９    空間部
２０１    ケーブルカード本体
２０２    コネクタ
２０３    接地端子部
２０４    電池挿入部
【図１】
0004763486.tif 000002
【図２】
0004763486.tif 000003
【図３】
0004763486.tif 000004
【図４】
0004763486.tif 000005
【図５】
0004763486.tif 000006
【図６】
0004763486.tif 000007
【図７】
0004763486.tif 000008